(57)【要約】【課題】競技場等の施設の来場者に対しイベント情報の提供をできるようにして、競技の待ち時間等を退屈しないで過ごせると共に、常連客に対するサービスの向上を図る。【解決手段】来場者が所持する、携帯電話機及び識別データが記憶された非接触ＩＣタグと、非接触ＩＣタグの識別データを非接触で読み取る手段と、読み取った識別データをサーバに送信する手段とを有する非接触ＩＣタグ読取装置と、メールアドレスと識別データとが関連付けられて登録されている会員情報データベースと、イベント情報が登録されているイベント情報データベースと、非接触ＩＣタグ読取装置から受信した識別データに基づき、会員情報データベースで該識別データに関連付けられてるメールアドレスを抽出する抽出手段と、抽出されたメールアドレス宛てにイベント情報を配信する配信手段とを有するサーバと、からなることを特徴とする。【選択図】　　　　図１
2004070616.tif 000002
【特許請求の範囲】
【請求項１】
競技場等の施設への来場者に対して、イベント情報を提供するイベント情報提供システムであって、
前記来場者が所持する、携帯電話機及び記憶手段に識別データが記憶された非接触ＩＣタグと、
前記施設の入場口付近に設置され、前記非接触ＩＣタグに記憶された識別データを非接触で読み取る手段と、該手段で読み取った識別データをサーバに送信する手段とを有する非接触ＩＣタグ読取装置と、
前記来場者のメールアドレスと前記識別データとが関連付けられて登録されている会員情報データベースと、
イベント情報が登録されているイベント情報データベースと、
前記非接触ＩＣタグ読取装置から受信した識別データに基づいて、前記会員情報データベースで該識別データに関連付けられて登録されているメールアドレスを抽出する抽出手段と、前記抽出手段で抽出されたメールアドレス宛てに前記イベント情報データベースに登録されているイベント情報を配信する配信手段とを有するサーバと、
からなることを特徴とするイベント情報提供システム。
【請求項２】
前記サーバに対して指示情報を入力する端末を備えていることを特徴とする請求項１記載のイベント情報提供システム。
【請求項３】
前記イベント情報が、ゲーム情報又はクイズ情報であることを特徴とする請求項１記載のイベント情報提供システム。
【請求項４】
前記サーバに、抽選手段を有することを特徴とする請求項１記載のイベント情報提供システム。
【発明の詳細な説明】
【０００１】
【発明の属する技術分野】
本発明は、競技場等の施設への特定の来場者に対して、ゲーム情報やクイズ情報などのイベント情報を提供するイベント情報提供システムに関する。
【０００２】
従来、プロ野球やプロサッカーなどの競技を観戦する場合には、これらの競技が行われる競技場等の施設に来場してスポーツ観戦を楽しんでいる。
これらの競技において、競技の開始から終了までの間に休憩時間があったり、また攻守交代の為の実際には競技が行われていない時間がある場合が多い。
例えば、野球では、スリーアウト後に攻守交代が行われて、選手が守備交代する間の数分間が、来場者にとっては待ち時間となり、またサッカーでは、前半と後半の間にハーフタイムの休憩時間が用意されていて、この時間は待ち時間となる。
【０００３】
これらの待ち時間は、来場者にとって退屈な待ち時間となる場合もあり、入場料を払ってわざわざ観戦に着てくれた来場者に対して、退屈な待ち時間を強いることは、顧客サービス上も好ましくなく、将来的に来場者数の増減にも悪影響を及ぼすことも考えられ好ましくない。
【０００４】
また、特にプロスポーツにおいては、できるだけ多くのファンを獲得して、競技場に来場してくれる常連客を増やすことがプロスポーツの発展においても必要なことである、
したがって、これらの常連客に対しては、一般客とは異なった特別のサービスを提供することで、常連客のファン離れを防ぐと共に、また一般客に対しては、常連客となるように変えていくためのサービス手段が必要であるが、現状では有効な手段がないという問題がある。
【０００５】
【発明が解決しようとする課題】
本発明は、上記のような問題点に鑑みてなされたものであり、その目的とするところは、プロ野球やプロサッカーなどの競技が行われる競技場等の施設において、これらの施設への特定の来場者に対して、ゲーム情報やクイズ情報などのイベント情報の提供をできるようにして、来場者が競技と共にゲームやクイズなどを楽しめるようにして、競技の待ち時間等を退屈しないで過ごせると共に、来場者に対するサービスの向上を図ることができるようにした来場者へのイベント情報提供システムを提供する。
【０００６】
【課題を解決するための手段】
上記の目的を達成するために、本発明のイベント情報提供システムは、競技場等の施設への来場者に対して、イベント情報を提供するイベント情報提供システムであって、前記来場者が所持する、携帯電話機及び記憶手段に識別データが記憶された非接触ＩＣタグと、前記施設の入場口付近に設置され、前記非接触ＩＣタグに記憶された識別データを非接触で読み取る手段と、該手段で読み取った識別データをサーバに送信する手段とを有する非接触ＩＣタグ読取装置と、前記来場者のメールアドレスと前記識別データとが関連付けられて登録されている会員情報データベースと、イベント情報が登録されているイベント情報データベースと、前記非接触ＩＣタグ読取装置から受信した識別データに基づいて、前記会員情報データベースで該識別データに関連付けられて登録されているメールアドレスを抽出する抽出手段と、前記抽出手段で抽出されたメールアドレス宛てに前記イベント情報データベースに登録されているイベント情報を配信する配信手段とを有するサーバと、からなることを特徴とする。
【０００７】
また、本発明のイベント情報提供システムは、前記サーバに対して指示情報を入力する端末を備えていることを特徴とする。
更に、前記イベント情報が、ゲーム情報又はクイズ情報であることを特徴とする。
また、本発明は、サーバに、抽選手段を有することを特徴とする。
【０００８】
【発明の実施の形態】
図１は、本発明の実施形態に係るイベント情報提供システムの全体構成を説明する図、図２は、本発明で使用される非接触ＩＣタグの一例を示す平面図、図３は、紙層間に非接触ＩＣタグを挟持させた状態の非接触ＩＣタグ紙片を示す略断面図、図４は、本発明の実施形態に係るイベント情報提供システムのシステムブロック図、図５は、本発明の実施形態に係るイベント情報提供システムの会員情報データベースの記憶内容を示す図、図６は、本発明の実施形態に係るイベント情報提供システムにおける携帯電話機の表示部の表示内容を示す図、図７は、本発明の実施形態に係るイベント情報提供システムの処理手順を示すフローチャートである。
【０００９】
まず、本発明のイベント情報提供システムの概要を図１に基づいて説明する。例えば、野球場やサッカー場等の競技を観戦するためにこれらの施設５に来場する来場者の内、本発明のサービスの提供を受けることができる来場者１は、来場の際に携帯電話機２と非接触ＩＣタグ３とを所持する必要がある。
非接触ＩＣタグ３は、図１に示すように、携帯電話機２のストラップに付けるなどして所持することが好ましい。
この来場者１に関しては、予め会員登録等を行うことで少なくとも自己のメールアドレス等の個人情報と、非接触ＩＣタグ３の記憶手段に記憶させている識別データとを関連付けして会員情報データベース２０に登録させておくことで、その他の一般の来場者には提供しない特別のイベント情報の提供を可能としている。
【００１０】
つまり、本発明のイベント情報提供システムでは、例えばファンクラブや種々の会員メンバーなどの予め会員化された特定の来場者に対するサービスを行うことができるようにしてある。
または、これらのサービスの提供を希望する来場者に対して、簡易な方法でこれらの個人情報の登録と、非接触ＩＣタグ３の発行を行うようにしてもよい。
【００１１】
これらの施設５の入場ゲート等には、非接触ＩＣタグ３に記憶された識別データを無線で読み取ることができる非接触ＩＣタグ読取装置４が備えられていて、施設５内に入場した来場者を、非接触ＩＣタグ読取装置４により非接触ＩＣタグ３に記憶された識別データを読み取ることで特定でき、これにより来場者だけに対してゲームやクイズ等のイベント情報の提供サービスが行えるようにしてある。
【００１２】
また一方、情報管理センター６などには、ゲームやクイズ等のイベント情報や会員情報を管理及び情報提供を行うサーバ７及び端末８が備えられていると共に、通信回線９を介して、サーバ７と施設５に設置されている非接触ＩＣタグ読取装置４とが通信可能に接続されている。
また、情報管理センター６などに設置されたサーバ７から携帯電話機２に対して、ゲームやクイズ等のイベント情報のサービスの提供ができるように、移動体通信回線１０及び通信回線９により、サーバ７と携帯電話機２とが通信可能な状態になっている。
【００１３】
上記したように、本発明のイベント情報提供システムは、携帯電話機２と非接触ＩＣタグ３を所持する来場者が、野球場やサッカー場等の施設に入場したことを前提に、これらの来場者に対してゲームやクイズ等のイベント情報を来場者の携帯電話機２を利用して入手できるようにして、来場者に対して楽しみを提供できるようにしてある。
【００１４】
非接触ＩＣタグ３は、図２に示すように、汎用されている非接触ＩＣタグ３を用いることができ、一般にはＲＦＩＤ（ｒａｄｉｏｆｒｅｑｕｅｎｎｃｙ　ｉｄｅｎｔｉｆｉｃａｔｉｏｎ）と称されるもので、プラスチック等の基材３１にコイル状アンテナパターン３３を形成し、このコイル状アンテナパターン３３と容量素子とにより共振回路を形成して一定周波数の電波を受信、送信ができるように構成されているものを使用する。
【００１５】
図２に示す非接触ＩＣタグ３においては、アンテナパターン３３は導通部材３４により基材３１の裏面でジャンピング回路を形成してアンテナ接続端子３３ＣによりＩＣチップ３２の裏面のバンプに接続されている。
この図２に示す例では、容量素子はＩＣチップ３２に内臓されている。
ＩＣチップ３２は記憶手段であるメモリを備え、それぞれの非接触ＩＣタグ３を識別することが可能なＩＤ番号などの識別データ等が記録されている。
【００１６】
このような非接触ＩＣタグ３は、樹脂基材にラミネートしたアルミ箔等の金属箔をフォトエッチングや樹脂基材表面にレジストパターンを印刷した後のエッチングによりアンテナパターン３３を形成し、ＩＣチップ３２を装着し、保護用被覆を設けることにより形成することができる。
非接触ＩＣタグ３はプラスチック基体に埋設されているが、例えば図３に示すように２つの紙層３５ａ，３５ｂの間に挟持させることで、　ＩＣチップ３２やアンテナパターン３３を保護すると共に、持ち運びに便利な形態とすることが好ましい。
【００１７】
また携帯電話機３は、一般的に使用されている携帯電話機であって、インターネット等の通信回線９及び移動体通信回線１０を介してサーバ７との間で通信が可能で、サーバ７から送信されたメールの送信情報を表示できる表示手段などを有する。
【００１８】
次に、本発明の実施形態に係るイベント情報提供システムのシステム構成を図４に基づいて説明する。
非接触ＩＣタグ３には、識別データ等が記憶されたメモリからなる記憶手段と、非接触ＩＣタグ読取装置４からの信号を受信し、記憶手段に記憶された識別データ等の情報を非接触ＩＣタグ読取装置４に送信するアンテナからなる送受信手段と、ＩＣからなる制御手段とが設けられている。
【００１９】
また、非接触ＩＣタグ読取装置４には、非接触ＩＣタグ３の記憶手段に記憶された識別データ等の情報を非接触で読み取る読取手段１１と、記憶手段１２と、送受信手段１３と、制御手段１４とを備えている。
送受信手段１３により、非接触ＩＣタグ３から読み取った識別データを、通信回線９を介して情報管理センター６のサーバ７に送信する。
【００２０】
次に、情報管理センター６のサーバ７には、送受信手段１５、抽選手段１６、イベント情報配信手段１７、抽出手段１８、制御手段１９が備えられている。
更に、このサーバ７には、会員情報データベース２０と、イベント情報データベース２１とが備えられている。
会員情報データベース２０は、例えば図５に示すように、来場者である個々の会員に関する氏名２２やメールアドレス２３等の個人情報と、非接触ＩＣタグ３の記憶手段に記憶させておく識別データ２４とを関連付けて登録しておくことで、非接触ＩＣタグ読取装置４により非接触ＩＣタグ３から読み取られた識別データに基づいて、各種のイベント情報の配信先を特定するメールアドレスを抽出手段１８で抽出可能にしてある。
【００２１】
また、イベント情報データベース２１には、ゲームやクイズ等の各種のイベント情報が予め登録されている。
これらのイベント情報は、来場者が来場した施設の競技内容や競技に参加しているチームなどに関連したクイズやゲーム等、主催者側から来場者に提供したい所望の内容のイベント情報を登録することができる。
図６には、来場者の携帯電話機に表示されたイベント情報の一例が示されている。
図６の例では、野球場の観戦において、７回表の攻撃前のセレモニーの間のタイミングに、「ラッキー７　クイズ」とのタイトルで、これから始まる７回表裏に合計で何点が入るかを予想して下さい。というクイズ内容をサーバ７から来場者のメールアドレス宛てに配信したものである。
【００２２】
このクイズの場合には、このクイズの配信を受けた来場者が、自分で予想点数を入力し、送信エリア２５をクリックすることでクイズに参加できるようにしてある。
そして、これらのクイズの正解者の中から、抽選手段１６による抽選で当選した者に各種のプレゼントを渡すなどして、来場者が退屈することなく、常に楽しみを提供することを可能としてある。
【００２３】
このサーバ７には、送信手段２７、表示手段２８、入力手段２９、制御手段３０を備える端末２６が接続されていて、入力手段２９から各種の指示情報を入力することで、何時の時点でどのイベント情報の配信を行うのか等をコントロールできるようにしてある。
そして、この入力された指示情報に基づいて、イベント情報データベース２１に登録されている各種のクイズやゲームなどのイベント情報の中から所望のイベント情報を選んで、イベント情報配信手段１７により、来場者のメールアドレス宛てに配信処理が行われる。
【００２４】
また、携帯電話機２は、一般的に市販されているものであり、送受信手段４０、操作手段４１、表示手段４２、記憶手段４３、マイク４４、スピーカ４５、制御手段４６などを備えている。
表示手段４２は、移動体通信回線１０を介してサーバ７から配信されたイベント情報の内容を表示させる。
【００２５】
次に、本発明の実施形態に係るイベント情報提供システムの処理手順を図７のフローチャートに基づいて説明する。
まず、来場者が競技場などの施設に入場する際に、非接触ＩＣタグ読取装置４に非接触ＩＣタグを近づけて、非接触ＩＣタグの記憶手段に記憶されている識別データを読み取らせる（ステップＳ１）。
次に、非接触ＩＣタグ読取装置４からサーバ７に識別データが送信される（ステップＳ２）。
【００２６】
そして、サーバ７では、会員情報データベース２０の登録情報に基づいて、受信した識別データと関連付けられている会員個人情報からメールアドレスの抽出処理が行われる（ステップＳ３）。
次に、競技の休憩時間のタイミングで、端末２６の入力手段２９から所望の指示情報を入力する（ステップＳ４）。
【００２７】
端末２６で入力された指示情報は、サーバ７に送られてイベント情報データベース２１に登録されている各種のイベント情報の中から、指示情報により特定されたイベント情報を、既に抽出手段で１８で抽出されているメールアドレス宛てに、イベント配信手段１７により配信される（ステップＳ５）。
配信されたイベント情報は、来場者の携帯電話機２の表示手段４２で表示されて、来場者がこれらのイベントを楽しむことができる（ステップＳ６）。
【００２８】
以上により、来場者に対して、各種のイベント情報を配信することができるものである。
これらのイベント情報は、クイズやゲームに限定されるものではなく、種々の内容のメールや、参加者の年齢や性別等の条件に応じて適宜変更して実施してもよい。
【００２９】
【発明の効果】
以上のように、本発明のイベント情報提供システムは、施設に来場する特定の来場者に対して、ゲーム情報やクイズ情報などのイベント情報を携帯電話機を利用して提供できるので、来場者が競技の待ち時間等を退屈しないで過ごせると共に、常連客に対するサービスの向上を図ることができるという効果がある。
また、本発明は、サーバに対して指示情報を入力する端末を備えることで、イベント情報の配信の内容の選択や配信のタイミングを自由に選択することができるという効果がある。
更に、本発明は、イベント情報を、ゲーム情報又はクイズ情報とすることで子供でも楽しめることができるという効果がある。
また、本発明は、サーバに抽選手段を有することで来場者に対して抽選の楽しみを提供することができるという効果がある。
【図面の簡単な説明】
【図１】本発明の実施形態に係るイベント情報提供システムの全体構成を説明する図である。
【図２】本発明で使用される非接触ＩＣタグの一例を示す平面図である。
【図３】紙層間に非接触ＩＣタグを挟持させた状態の非接触ＩＣタグ紙片を示す略断面図である。
【図４】本発明の実施形態に係るイベント情報提供システムのシステムブロック図である。
【図５】本発明の実施形態に係るイベント情報提供システムの会員情報データベースの記憶内容を示す図である。
【図６】本発明の実施形態に係るイベント情報提供システムにおける携帯電話機の表示部の表示内容を示す図である。
【図７】本発明の実施形態に係るイベント情報提供システムの処理手順を示すフローチャートである。
【符号の説明】
１　来場者
２　携帯電話機
３　接触ＩＣタグ
４　非接触ＩＣタグ読取装置
５　施設
６　情報管理センター
７　サーバ
８　端末
９　通信回線
１０　移動体通信回線
１１　読取手段
１２，４３　記憶手段
１３，１５，２７，４０　送受信手段
１４，１９，３０，４６　制御手段
１６　抽選手段
１７　イベント情報配信手段
１８　抽出手段
２０　会員情報データベース
２１　イベント情報データベース
２２　氏名
２３　メールアドレス
２４　識別データ
２５　送信エリア
２８，４２　表示手段
３１　基材
３３　コイル状アンテナパターン
３２　ＩＣチップ
３４　導通部材
３５ａ，３５ｂ　紙層
３３Ｃ　アンテナ接続端子
４１　操作手段
４４　マイク
【図１】
2004070616.tif 000003
【図２】
2004070616.tif 000004
【図３】
2004070616.tif 000005
【図４】
2004070616.tif 000006
【図５】
2004070616.tif 000007
【図６】
2004070616.tif 000008
【図７】
2004070616.tif 000009